(57)【要約】      （修正有）【課題】  より簡単な構造で、メダル排出口から排出されたメダルを手で受け止め易くし、遊技機へメダルを投入する際の一連の動作を容易にすることができる遊技機を提供すること。【解決手段】  メダル排出口２３から排出されたメダルは、誘導部材２４の一方端へ落下し、誘導部材２４の表面を流下した後、誘導部材２４の他方端から遊技者側に向かって、メダル受皿２６へと落下する。この誘導部材２４は、回動軸３３により回動自在に軸支され、必要に応じてメダル排出口２３から排出されたメダルに接触しない位置まで回動させることができる。また、誘導部材２４を保持するストッパー部材２５を、長穴４０に設けられた凹部４０ａ，４０ｂ，４０ｃのいずれかに保持させることにより、誘導部材２４の傾斜角度を調整することができる。【選択図】  図３
2008049051.tif 000002
【特許請求の範囲】
【請求項１】
遊技媒体を遊技者側へ排出する遊技媒体排出口と、前記遊技媒体排出口よりも低い位置に設けられ、前記遊技媒体排出口から排出された遊技媒体を貯留する貯留皿とを有する遊技機であって、
前記遊技媒体排出口から排出された遊技媒体を前記貯留皿へ誘導する誘導部材とを有してなり、
前記誘導部材は、長尺平板形状であり、前記誘導部材の前記遊技媒体排出口側の長辺である第１の長辺と、前記第１の長辺に対向する遊技者側の第２の長辺とを有し、
長手方向が前記遊技媒体排出口から排出される遊技媒体の排出方向に対してほぼ直交する方向に設けられ、
前記長手方向における一方端が前記遊技媒体排出口の直下に位置するとともに、他方端が前記一方端よりも低位置となるように傾斜して設けられ、かつ、前記貯留皿の底面よりも一定の間隔を開けて保持されている
ことを特徴とする遊技機。
【請求項２】
前記誘導部材を、前記遊技媒体排出口から排出される遊技媒体に接触しない位置まで移動させる移動機構を有することを特徴とする請求項１に記載の遊技機。
【請求項３】
前記誘導部材の長手方向における傾斜角度を調整可能とする角度調整機構を有することを特徴とする請求項１または２に記載の遊技機。
【請求項４】
前記誘導部材は、
前記他方端の先端部において、前記第１の長辺から前記第２の長辺にかけて弧を描く形状を有し、該弧に沿って、前記誘導部材の平面状を流下する遊技媒体の脱落を防止する脱落防止壁を立設した
ことを特徴とする請求項１から３のうちいずれか１項に記載の遊技機。
【請求項５】
前記誘導部材は、
前記第２の長辺に沿って、前記誘導部材の平面状を流下する遊技媒体が脱落することなく前記他方端へと誘導する誘導壁を立設した
ことを特徴とする請求項１から４のうちいずれか１項に記載の遊技機。
【発明の詳細な説明】
【技術分野】
【０００１】
本発明は、遊技媒体排出口から排出された遊技媒体を貯留する遊技媒体用受皿を備えた遊技機に関する。
【背景技術】
【０００２】
一般に、スロットマシンなどの遊技機では、メダルを投入して遊技を行った結果、所定の条件が満たされると、当該満たされた条件に応じた数のメダルを、当該遊技機に設けられたメダル排出口からメダル受皿に払い出す。ここで、所定の条件としては、たとえばスロットマシンの場合、複数のリールが回転した後、停止したときに、各リールに描かれた図柄の組合せが、予め定められた図柄組合せと一致した場合などが挙げられる。また、上述したメダル受皿は、通常数百枚のメダルが貯留できる容量を有しており、古くからメダル排出口からメダル受け皿へ払い出される際に生じる問題点や、メダル受皿からメダルを取り出す際に発生する問題点を改善するための提案が古くからなされている。
【０００３】
たとえば、特許文献１には、メダル受皿を従来の遊技機よりも高い位置に設置するとともに、当該メダル受皿の底面に開口および当該開口の開閉扉を設けた者が開示されている。これにより、上記開閉扉を開放させて、メダル受皿内に貯留されたメダルを、メダル受皿の下側に載置したメダル貯留箱（いわゆるドル箱）へ落下させ、メダルの移し替えを容易にしている。また、特許文献２には、メダル受皿の底面に対して、メダル排出口を従来の遊技機よりも高い位置に設けるとともに、当該メダル排出口にメダル誘導ノズルを取り付けることによって、払い出されたメダルがメダル受皿内で一箇所に山積し、メダル排出口を防いでしまうのを防止している。
【０００４】
【特許文献１】特開平８−３８６８３
【特許文献２】特開２００２−１４３３８７
【発明の開示】
【発明が解決しようとする課題】
【０００５】
ところで、遊技者が上述したスロットマシンへメダルを投入する場合、メダル受皿の中から複数枚のメダルを手で掴みとり、手の中で一旦、円柱状にまとめてからスロットマシンのメダル投入口へ１枚ずつ投入するという動作がよく行われる。この動作をより容易に行うという観点から前述した先行技術を見た場合、特許文献１に開示されたメダル受皿の場合、開閉扉の操作を行う必要があり、また、メダル受皿内に貯留されているメダルが少ない場合は、メダル受皿内のメダルを開口まで移動させなければならず、上述したメダル投入時の動作が容易になるとはいいがたい。
【０００６】
また、特許文献２に開示されたメダル受皿およびメダル排出口の構造の場合、メダル排出口から払い出されたメダルを直接、手で受け止めることができるため、メダル受皿からわざわざ掴み取る必要がなくなり、メダル投入時の動作が多少軽減される。しかしながら、誘導ノズルが付属されていない場合は、メダルが散らばって排出されるおそれがあり、その場合、手で受け止めにくくなるという問題がある。また、誘導ノズルが付属する場合は、排出されたメダルを手で受け止め易くなるものの、誘導ノズルの存在によってメダル受皿から手を引き抜きにくくなるという問題や、誘導ノズル内でメダルが詰まってしまう可能性も生じることになる。
【０００７】
そこで本発明は、より簡単な構造で、メダル排出口から排出されたメダルを手で受け止め易くし、遊技機へメダルを投入する際の一連の動作を容易にすることができる遊技機を提供することを目的としている。
【課題を解決するための手段】
【０００８】
上記の目的を達成するために、請求項１に記載の発明は、遊技媒体を遊技者側へ排出する遊技媒体排出口と、前記遊技媒体排出口よりも低い位置に設けられ、前記遊技媒体排出口から排出された遊技媒体を貯留する貯留皿とを有する遊技機であって、前記遊技媒体排出口から排出された遊技媒体を前記貯留皿へ誘導する誘導部材とを有してなり、前記誘導部材は、長尺平板形状であり、前記誘導部材の前記遊技媒体排出口側の長辺である第１の長辺と、前記第１の長辺に対向する第２の長辺とを有し、長手方向が前記遊技媒体排出口から排出される遊技媒体の排出方向に対してほぼ直交する方向に設けられ、前記長手方向における一方端が前記遊技媒体排出口の直下に位置するとともに、他方端が前記一方端よりも低位置となるように傾斜して設けられ、かつ、前記貯留皿の底面よりも一定の間隔を開けて保持されていることを特徴としている。
【０００９】
請求項１に記載の発明によれば、遊技媒体排出口から排出された遊技媒体が、誘導部材の表面上を、長手方向の一方端から他方端へと流下し、当該他方端から貯留皿へと落下する。このため、遊技者は、誘導部材の他方端から直接遊技媒体を受け止めることができ、逐一、メダル受皿内のメダルを掴み取る必要がなくなる。また、誘導部材は、遊技媒体の排出方向と直交する方向に設けられているため、遊技者側への突出を最小限に抑えることができ、誘導部材に邪魔されることなく、手で受け止めたメダルを手元に引き寄せることができる。さらに、誘導部材の形状が、長尺平板状という単純な構造になっており、遊技媒体が流下する途中で止まってしまった場合でも、その遊技媒体を容易に手の中に収めることができる。
【００１０】
また、請求項２に記載の発明は、請求項１に記載の遊技機において、前記誘導部材を、前記遊技媒体排出口から排出される遊技媒体に接触しない位置まで移動させる移動機構を有することを特徴としている。
【００１１】
請求項２に記載の発明によれば、誘導部材を遊技媒体排出口から排出された遊技媒体に接触しない位置まで移動させることができるため、誘導部材を必要としない遊技者は、誘導部材を介さず、遊技媒体排出口から排出された遊技媒体を直接、手で受け止めることができる。
【００１２】
また、請求項３に記載の発明は、請求項１または２に記載の遊技機において、前記誘導部材の長手方向における傾斜角度を調整可能とする角度調整機構を有することを特徴としている。
【００１３】
請求項３に記載の発明によれば、誘導部材の傾斜角度を調節することができるため、誘導部材の表面上における遊技媒体の流下速度を、より受け止めやすい速度に調整することができる。
【００１４】
また、請求項４に記載の発明は、請求項１から３のうちいずれか１項に記載の遊技機において、前記誘導部材は、前記他方端の先端部において、前記第１の長辺から前記第２の長辺にかけて弧を描く形状を有し、該弧に沿って、前記誘導部材の平面状を流下する遊技媒体の脱落を防止する脱落防止壁を立設したことを特徴としている。
【００１５】
請求項４に記載の発明によれば、誘導部材の他方端の先端部が、遊技媒体排出口側の長辺（第１の長辺）から遊技者側の長辺（第２の長辺）にかけて弧を描いており、この弧に沿って遊技媒体の脱落防止壁が設けられている。このため、誘導部材を流下する遊技媒体は、他方端において脱落防止壁に沿って流下方向を変えて遊技者側へ落下し、遊技者が遊技媒体をより受け止め易くなる。また、遊技媒体が脱落防止壁に沿って流下することにより、流下速度を低下させることができるため、例えば、誘導部材の傾斜角度が急になっており、遊技媒体の流下速度が速すぎる場合でも、誘導部材の他方端から落下する遊技媒体が貯留皿から飛び出してしまう可能性を低くすることができる。
【００１６】
請求項５に記載の発明は、請求項１から４のうちいずれか１項に記載の遊技機において、前記誘導部材は、前記第２の長辺に沿って、前記誘導部材の平面状を流下する遊技媒体が脱落することなく前記他方端へと誘導する誘導壁を立設したことを特徴としている。
【００１７】
請求項５に記載の発明によれば、誘導部材の表面を流下する遊技媒体を、流下途中で脱落させることなく、他方端へと誘導することができるため、遊技者は、より確実に、誘導部材の他方端で遊技媒体を受け止めることができる。
【発明の効果】
【００１８】
本発明によれば、より簡単な構造で、メダル排出口から排出されたメダルを手で受け止め易くし、遊技機へメダルを投入する際の一連の動作を容易にすることができる。
【発明を実施するための最良の形態】
【００１９】
以下、本発明を実施するための最良の形態である実施の形態について図面を参照しながら説明する。以下に説明する実施の形態は、本発明を遊技機の一つであるスロットマシンに適用した例を示している。
【００２０】
図１を参照して、本発明の第１の実施形態に係る遊技機の構成について説明する。図１は、第１の実施形態に係る遊技機１の外観を示す正面図である。遊技機１の内部には、３個のリール３Ｌ，３Ｃ，３Ｒが回転自在に横一列に設けられている。リール３Ｌ，３Ｃ，３Ｒの外周面には、それぞれ、複数種類の図柄によって構成される図柄列が描かれている。これらのリールは、遊技機１の正面略中央に位置するリール部ディスプレイ２ａ（図１中、太線で囲まれた部分）に形成されたリール表示窓４Ｌ，４Ｃ，４Ｒを通して視認可能な位置に配置されており、遊技開始前および停止後のリール停止状態において、各々のリール表示窓から、上段・中段・下段に各１つずつ、計３個の図柄が視認可能に構成されている。
【００２１】
遊技機１には、３つのリールの回転が停止した際に、リール表示窓４Ｌ，４Ｃ，４Ｒ内に表示された図柄に基づいて入賞などの成否を判定する基準となる入賞ラインが定められている。入賞ラインとしては、右上がりラインＬ１、上段ラインＬ２、中段ラインＬ３、下段ラインＬ４、および、右下がりラインＬ５が設けられている。
【００２２】
有効とみなされる入賞ライン、すなわち有効ラインは、投入されるメダルの枚数に応じて変化する。メダルの投入は、後述するメダル投入口１０にメダルを投入することにより行なわれ、１回の遊技に投入可能なメダルは、最大で３枚となっている。また、投入されたメダルの枚数に応じて、例えば１枚の場合１本（中段ラインＬ３）、２枚の場合３本（加えて上段ラインＬ２および下段ラインＬ４）、３枚の場合５本（さらに加えて右上がりラインＬ１および右下がりラインＬ５）の入賞ラインが有効化される。
【００２３】
リール部ディスプレイ２ａは、ノーマリホワイトの液晶画像表示装置であり、遊技中は、リール部ディスプレイ２ａの画面に、内部の３つのリール３Ｌ，３Ｃ，３Ｒに対応するリール表示窓４Ｌ，４Ｃ，４Ｒが表示され、遊技者はこれらのリール表示窓から各々対応する内部のリール３Ｌ，３Ｃ，３Ｒを臨むことができる。また、リール表示窓４Ｌ，４Ｃ，４Ｒ以外の表示領域には、遊技に期待感や興趣を向上するための画像および遊技を行うに際して遊技者に有用な種々の情報が表示される。なお、リール部ディスプレイ２ａの構造については、従来と同様であるため詳しい説明は省略する。
【００２４】
リール部ディスプレイ２ａの左側には、リール部パネル２ｂが配設されている。リール部パネル２ｂには、図中、上から順に、ボーナスカウント表示部５と、ＢＥＴランプ６ａ〜６ｃと、配当枚数表示部７と、貯留枚数表示部８と、遊技状態表示ランプ群９とが配設されている。ボーナスカウント表示部５は３桁の７セグメント表示器からなり、ボーナス遊技中に遊技機１から払い出されたメダルの枚数を表示する。ここで、ボーナス遊技とは、リール３Ｌ，３Ｃ，３Ｒの回転が停止して、前述した有効ラインに沿って予め定められた特別な図柄組合せが表示された場合に、次の遊技から一定の期間、実行することができる特別な遊技である。ボーナス遊技中は、ボーナス遊技でない通常の遊技（以下、「一般遊技」という）に比べ、遊技者がメダルを獲得することができる確率が高くなっている。
【００２５】
ＢＥＴランプ６ａ，６ｂ，６ｃは、点灯数によって１回の遊技に投入されたメダル枚数を示しており、メダルが１枚投入されたときはＢＥＴランプ６ａのみが点灯し、２枚投入されたときはＢＥＴランプ６ａおよび６ｂが点灯し、３枚投入されたときはすべてのＢＥＴランプ６ａ，６ｂ，６ｃが点灯する。配当枚数表示部７は、２桁の７セグメント表示器からなり、遊技の結果入賞した場合、払い出されるメダルの枚数を表示する。貯留枚数表示部８は、３桁の７セグメント表示器からなり、遊技機１内に貯留されているメダルの枚数を示す。
【００２６】
遊技状態表示ランプ群９は５つのＬＥＤからなり、図中、左から順に、インサートランプＩＮ、スタートランプＳＴ、遊技待機表示ランプＷＡ、再遊技表示ランプＲＥ、および、当たり表示ランプＷＮが配設されている。また、これら各ＬＥＤの点灯状態によって現在の遊技状態を遊技者に報知する。ここで、インサートランプＩＮは、点滅することで、メダルの投入が可能な状態にあることを示す。スタートランプＳＴは、点灯することで遊技の開始（後述するスタートスイッチの操作）が可能な状態となったことを示す。遊技待機表示ランプＷＡは、点灯することで、前回の遊技開始時から４．１秒が経過していないために、スタートスイッチを操作しても、リール３Ｌ，３Ｃ，３Ｒの回転開始が待機している状態であることを示す。この場合、前回の遊技開始時から４．１秒が経過すると、遊技待機表示ランプＷＡが消灯してリール３Ｌ，３Ｃ，３Ｒが回転し始める。再遊技表示ランプＲＥは、点灯することで次に開始される遊技が再遊技であることを示す。当たり表示ランプＷＮは、点灯することでボーナス遊技が開始されることとなる、前述した特別な図柄組合せを有効ラインに沿って表示させることができる状態になっていることを示す。
【００２７】
リール部ディスプレイ２ａおよびリール部パネル２ｂの下側、かつ、遊技機１の正面右側には、メダル投入口１０が設けられており、メダル投入口１０に投入されたメダルの枚数に応じて、前述したとおり有効ラインが決定される。また、メダルが３枚投入された後、続けてメダルが投入されると、４枚目以降に投入されたメダルは遊技機１内に貯留される。本実施の形態における遊技機では、最大５０枚のメダルが貯留可能となっている。
【００２８】
リール部ディスプレイ２ａおよびリール部パネル２ｂの下側、かつ、メダル投入口１０の左側には、遊技機１の正面、左側端部近傍に亘って操作部１１が形成されている。この操作部１１の上面左側には、図１中、左から順に、２−ＢＥＴスイッチ１２、１−ＢＥＴスイッチ１３、ＭＡＸ−ＢＥＴスイッチ１４が設けられている。これら各ＢＥＴスイッチは、遊技機１に貯留されたメダルからメダルを投入するためのスイッチであり、遊技機１に３枚以上のメダルが貯留されている状態で１−ＢＥＴスイッチ１３が操作されると、１回操作されるごとに貯留されているメダルから１枚ずつ投入され、２−ＢＥＴスイッチ１２が操作されると２枚投入され、ＭＡＸ−ＢＥＴスイッチ１４が操作されると、３枚のメダルが一度に遊技機１へ投入される。このように、各種ＢＥＴスイッチ１２〜１４を操作することで、メダル投入口１０にメダルが投入された場合と同様に遊技機１へメダルが投入されるとともに、投入されたメダルの枚数に応じて前述の有効ラインが定まる。また、１−ＢＥＴスイッチ１３とＭＡＸ−ＢＥＴスイッチ１４の間には、遊技機１における遊技履歴やリールの図柄配列などの遊技に関する各種情報をリール部ディスプレイ２ａに表示させるための選択スイッチ１５および決定スイッチ１６が設けられている。
【００２９】
操作部１１の垂直面、かつ、遊技機１の正面略中央には、各リール表示窓４Ｌ，４Ｃ，４Ｒの下方に各々対応する形で、ストップスイッチ１７Ｌ，１７Ｃ，１７Ｒが配置されている。これらのストップスイッチ１７Ｌ，１７Ｃ，１７Ｒは、リール３Ｌ，３Ｃ，３Ｒに各々対応しており、たとえば、ストップスイッチ１７Ｌが押されたときは、後述するメイン制御部により左リール３Ｌの停止制御が行われる。同様に、ストップスイッチ１７Ｃが押されたときは中リール３Ｃの、ストップスイッチ１７Ｒが押されたときは右リール３Ｒの停止制御が行われる。ストップスイッチ１７Ｌ，１７Ｃ，１７Ｒの左側には、遊技者による傾動操作により、３つのリールを回転させ、リール表示窓４Ｌ，４Ｃ，４Ｒに表示された図柄の変動を開始させるためのスタートスイッチ１８が設けられている。
【００３０】
操作部１１の下側には、遊技機１に付与された機種名や、遊技機１のコンセプトに沿ったキャラクタなどの絵柄が描かれた腰部パネル１９が配置されている。また、腰部パネル１９の裏側には空間が設けられており、この空間には、背面から腰部パネル１９を照明するための蛍光灯が設置されている。さらに、腰部パネル１９の下辺部分には、後述する誘導部材２４の先端部分を、上述した空間内に収容するための開口部２０が設けられている。
【００３１】
腰部パネル１９の左側には、遊技機１に貯留されたメダルを排出するためのメダル排出スイッチ２１が設けられている。腰部パネル１９の下側には、腰部パネル１９の表面よりも奥側に設けられた垂直板２２が設けられており、この垂直板２２のほぼ中央上部には、遊技機１における遊技で入賞した場合または遊技機１にメダルが貯留されている状態でメダル排出スイッチ２１が押された場合にメダルを排出するためのメダル排出口２３が設けられている。また、このときメダルは、遊技者側、すなわち、図１の紙面から突き出る方向に排出される。よって、メダル排出口２３は、遊技媒体を遊技者側へ排出する遊技媒体排出口に相当する。
【００３２】
メダル排出口２３の直下には、メダル排出口２３から排出されたメダルを後述するメダル受皿２６へと誘導する誘導部材２４が設けられている。詳しくは後述するが、誘導部材２４は、図１中、左端部分を軸として回動可能に軸支されており、反時計回りの方向（図１中に矢印で示す方向）に回動させた場合は、前述した開口２０から腰部パネル１９の内部に収容される。また、誘導部材２４の時計回り方向への回動は、ストッパー部材２５によって阻止される。遊技機１の正面、最下部には、メダル排出口２３から排出されたメダルを多数貯留させることができるメダル受皿２６が設けられている。このメダル受皿２６は、遊技媒体排出口よりも低い位置に設けられ、遊技媒体排出口から排出された遊技媒体を貯留する貯留皿に相当する。
【００３３】
遊技機１の正面、最上部には、遊技の状況に応じた発光パターンで発光し、演出や報知が行なわれる上部ランプ２７が設けられている。また、上部ランプ２７の下側には、遊技の状況に応じた操作音や演出音、報知音などを出力する右スピーカ２８Ｒおよび左スピーカ２８Ｌが配設されている。
【００３４】
次に図２を参照して、上述した誘導部材２４の構造について説明する。図２において、（ａ）は、誘導部材２４の正面図であり、（ｂ）は、誘導部材２４の平面図である。また、図２（ｂ）において、矢印で示す方向は、メダル排出口２３から排出されたメダルの流下方向を示している。これにより、図２中、誘導部材２４の左側が、メダル流下方向の上流側となり、右側が下流側となる。なお、誘導部材２４のメダル流下方向の上流側端部は、一方端に相当し、下流側端部は他方端に相当する。また、誘導部材２４の上流側端部（一方端）は、メダル排出口２３の直下に位置している。
【００３５】
よって、図１に示すように、誘導部材２４がメダル排出口２３から排出されたメダルを流下させる位置にある場合、他方端が一方端よりも低位置になっている。また、誘導部材２４が図１に示す位置にある場合において、ストッパー部材２５は、誘導部材２４の他方端の位置とメダル受皿２６の底面との間が、一定の間隔（例えば１０ｃｍ〜１５ｃｍ）となるように、誘導部材２４を保持している。
【００３６】
図２に示すように、誘導部材２４は、長尺平板状の部材からなり、垂直板２２側の長辺、すなわち、メダル排出口２３側の長辺（以下、第１の長辺いう）には、誘導部材２４の表面を流下するメダルを誘導する誘導壁３０が立設されている。また、メダル排出口２３側の長辺に対向する遊技者側の長辺（以下、第２の長辺という）にも、誘導部材２４の表面を流下するメダルが、誘導部材２４の表面から落下することなく、流下方向の下流まで誘導する誘導壁３１が立設されている。この誘導壁３１によって、誘導部材２４の表面を流下するメダルを、流下途中でメダル受皿２６へ脱落させることなく、他方端へと誘導することができ、遊技者は、より確実に、誘導部材２４の下流側端部でメダルを受け止めることができる。
【００３７】
また、図２（ｂ）に示すように、メダルの流下方向の下流側は、曲線（弧）を描く形状になっており、当該曲線部分Ｃにも誘導壁３０が形成されている。ここで、曲線部分Ｃにおける誘導壁３０は、弧に沿って立設された脱落防止壁に相当する。これにより、メダルが曲線部分Ｃにおける誘導壁３０に沿って流下する際に流下速度が低下し、例えば、後述する傾斜角度調整機構によって、誘導部材２４の傾斜角度が急角度に設定されている場合でも、メダルの流下速度が速すぎてメダルがメダル受皿から飛び出してしまう可能性を低くすることができる。
【００３８】
また、メダルの流下方向の上流側端部には、メダル排出口２３から排出されたメダルが、誘導部材２４からこぼれ落ちにくくするために、落下防止壁３２が形成されている。なお、誘導壁３０と誘導壁３１との間隔ｄ１、および、メダル流下方向の下流側先端部における誘導壁３０および誘導壁３１の間隔ｄ２も、メダルの直径より広くなっている。
【００３９】
さらに、誘導部材２４の第１の長辺において、上流側端部には、誘導部材２４を垂直板２２に回動自在に軸支するための回動軸３３が形成されており、垂直板２２に設けられた孔２２ａに挿入される。また、回動軸３３の先端には、回動軸３２が孔２２ａから抜け落ちないように、円板状の脱落防止部材３４が取り付けられている。これにより、回動軸３３を中心に誘導部材２４を図３（ａ）に示す位置から、図３（ｂ）に示す位置へ回動させることができる。すなわち、メダル排出口２３からメダルが排出される際に、誘導部材２４を介さずに直接、手でメダルを受け止めたいとき、または、メダル受皿２６に落下させたい場合は、誘導部材２４を、メダル排出口２３から排出されたメダルに接触することがない図３（ｂ）に示す位置へ、回動させることができる。このように、誘導部材２４を回動軸３３によって軸支し、腰部パネル１９の下部に開口２０を設けることにより、誘導部材２４を、メダル排出口２３から排出されるメダルに接触しない位置まで移動させる移動機構が実現可能となる。これにより、遊技者は、好みに応じて、誘導部材２４を介することなく、メダル排出口２３から排出されたメダルを直接、手で受け止めることができる。
【００４０】
また、図３（ａ）に示すように、メダル排出口２３から排出されたメダルを、誘導部材２４に流下させる場合、誘導部材２４の傾斜角度を調整することができる。すなわち、図３（ｂ）および図４に示すように、ストッパー部材２５の直径は、垂直板２２に穿設された長穴４０の幅よりも大きくなっており、ストッパー部材２５の垂直板２２側の端面から、ストッパー部材２５の直径よりも小さく、かつ、長穴４０の幅よりも小さい直径を有する軸５０が突出成形されている。さらに、軸５０の先端には、ストッパー部材２５が長穴４０から抜け落ちないように、円板状の脱落防止部材５１が取り付けられており、長穴４０内を自由に移動可能となっている。また、長穴４０には、図３（ｂ）に示すように、軸５０を保持するための凹部４０ａ，４０ｂ，４０ｃが形成されている（凹部４０ａについてはストッパー部材２５によって隠されている）。したがって、遊技者は、ストッパー部材２５を指などで摘み、長穴４０内を移動させて、凹部４０ａ，４０ｂ，４０ｃのいずれかに保持させることによって、誘導部材２４の傾斜角度を３段階に調整することができる。すなわち、誘導部材２４を回動軸３３により軸支し、また、ストッパー部材２５を、凹部４０ａ，４０ｂ，４０ｃが形成された長穴４０内に移動可能に支持することにより、誘導部材２４の傾斜角度を調整可能とする角度調整機構が実現可能となる。これにより、遊技者は、誘導部材２４の表面を流下するメダルの速度を適宜調整することができる。なお、図１に示す誘導部材２４の位置は、ストッパー部材２５が凹部４０ａの位置で保持されているときの位置を示している。
【００４１】
上述した誘導部材２４を備えた遊技機１においては、図５に示すように、メダル排出口２３から排出されたメダルＭは、誘導部材２４の上流側端部（一方端）から誘導部材２４の表面を流下し、下流側端部（他方端）に形成された曲線部に立設された誘導壁３１（脱落防止壁）に沿って、遊技者側へ流下方向を変える。そして、メダルＭは、誘導部材２４の下流側先端部において、誘導壁３０と誘導壁３１との間から遊技者側へと落下する。
【００４２】
これにより、遊技者は、誘導部材２４の他方端から直接メダルＭを、より受け止め易い位置で受け止めることができるとともに、逐一、メダル受皿２６内のメダルを掴み取る必要がなくなる。また、誘導部材２４が、メダルＭの排出方向と直交する方向、すなわち、垂直板２２と平行に設けられているため、遊技者側への突出を最小限に抑えることができ、手で受け止めたメダルＭを手元に引き寄せる際に、誘導部材２４が邪魔になりにくくなっている。さらに、誘導部材２４の形状が、長尺平板状という単純な構造になっており、メダルＭが流下する途中で止まってしまった場合でも、容易に取り出しやすくなっている。
【００４３】
なお、上述した実施形態では、誘導部材２４の下流側先端部（他方端の先端部）を、曲線を描くように形成し、当該曲線部に沿って誘導壁３０を立設することで、誘導部材２４から遊技者側へメダルが落下するようにしていたが、必ずしも曲線を描くように形成する必要はない。すなわち、必ずしも遊技者側へメダルを落下させる必要は無く、誘導部材２４の表面を流下したメダルをそのままの方向へ落下させるようにしてもよい。また、誘導壁３１は必ずしも設ける必要はなく、例えば、第１の長辺の位置よりも第２の長辺の位置が高くなるように、誘導部材２４を傾けて垂直板２２に取り付け、誘導部材２４の表面を流下するメダルが脱落しにくくするようにしてもよい。さらに、図２（ｂ）において、少なくとも間隔ｄ２については、メダルが１枚のみ通過し得る間隔であることが望ましい。このように間隔ｄ２を設定することによって、誘導部材２４からのメダルの落下方向が拡散するのを防止することができ、遊技者にとって、よりメダルが受け止め易くなる。
【図面の簡単な説明】
【００４４】
【図１】本発明の実施の形態における遊技機の一例としてのスロットマシンの外観を示す正面図である。
【図２】本発明の実施の形態における遊技機が備える誘導部材の形状を示す図であり、（ａ）は誘導部材の正面図、（ｂ）は誘導部材の平面図である。
【図３】本発明の実施の形態における遊技機が備える誘導部材の移動機構および角度調整機構について説明するための説明図である
【図４】本発明の実施の形態におけるにおける遊技機が備える誘導部材を保持するストッパー部材の形状を示す平面図である
【図５】本発明の実施の形態におけるにおける遊技機から排出されたメダルが、誘導部材を流下する状態を説明するための説明図である。
【符号の説明】
【００４５】
１  遊技機
１９  腰部パネル
２０  開口
２２  垂直板
２３  メダル排出口
２４  誘導部材
２５  ストッパー部材
２６  メダル受皿
３０，３１  誘導壁
３３  回動軸
３４，５１  脱落防止部材
４０  長穴
４０ａ，４０ｂ，４０ｃ  凹部
５０  軸
【図１】
2008049051.tif 000003
【図２】
2008049051.tif 000004
【図３】
2008049051.tif 000005
【図４】
2008049051.tif 000006
【図５】
2008049051.tif 000007